(57)【要約】【課題】  アクティブケーブルとして構成されたコネクタ付きケーブルの逆接続状態を検出する。【解決手段】  第１接続回路は、第１コネクタの端子を介して第１装置から入力されるパラレル信号をシリアル信号に変換するシリアライザと、電源線の第１コネクタ側の電圧から、少なくともシリアライザの電源電圧を生成する第１電源回路と、電源線の第１コネクタ側の第１電圧を測定する第１電圧センサと、を有し、第２接続回路は、信号線を介して伝送されたシリアル信号をパラレル信号に変換して、第２コネクタの端子を介して第２装置に出力するデシリアライザと、電源線の第２コネクタ側の電圧から、少なくともデシリアライザの電源電圧を生成する第２電源回路と、電源線の第２コネクタ側の第２電圧を測定する第２電圧センサと、を有し、第１電圧と第２電圧との電圧差に基づいて逆接続状態を検出する。【選択図】  図１
2014082634.tif 000002
【特許請求の範囲】
【請求項１】
伝送ケーブルの両端に、ハウジング内に第１の接続回路を収納する第１のコネクタ、およびハウジング内に第２の接続回路を収納する第２のコネクタをそれぞれ備えるコネクタ付きケーブルであって、
前記伝送ケーブルは、
信号を伝送する信号線と、
前記第１および第２のコネクタのうちの一方のコネクタ側に供給される外部電源電圧を、前記第１および第２のコネクタのうちの他方のコネクタ側に供給する電源線と、
を有し、
前記第１の接続回路は、
前記第１のコネクタの端子を介して第１の装置から入力されるパラレル信号をシリアル信号に変換するパラレル／シリアル変換回路と、
前記電源線の前記第１のコネクタ側の電圧から、少なくとも前記パラレル／シリアル変換回路の電源電圧を生成する第１の電源回路と、
前記電源線の前記第１のコネクタ側の電圧を第１の電圧として測定する第１の電圧センサと、
を有し、
前記第２の接続回路は、
前記信号線を介して伝送された前記シリアル信号をパラレル信号に変換して、前記第２のコネクタの端子を介して第２の装置に出力するシリアル／パラレル変換回路と、
前記電源線の前記第２のコネクタ側の電圧から、少なくとも前記シリアル／パラレル変換回路の電源電圧を生成する第２の電源回路と、
前記電源線の前記第２のコネクタ側の電圧を第２の電圧として測定する第２の電圧センサと、
を有し、
前記第１および第２の接続回路のうちの一方の接続回路は、前記第１の電圧と前記第２の電圧との電圧差に基づいて、前記第１のコネクタ側が前記第２の装置に接続され、前記第２のコネクタ側が前記第１の装置に接続されている逆接続状態を検出する逆接続検出回路をさらに有することを特徴とするコネクタ付きケーブル。
【請求項２】
請求項１に記載のコネクタ付きケーブルであって、
前記逆接続検出回路は、前記電圧差を、前記電源線の抵抗値および前記電源線に流れる電流値に基づいて予め設定された閾値と比較して、前記逆接続状態を検出することを特徴とするコネクタ付きケーブル。
【請求項３】
請求項１または請求項２に記載のコネクタ付きケーブルであって、
前記逆接続検出回路が前記逆接続状態を検出した場合に警報を発する警報手段をさらに備えることを特徴とするコネクタ付きケーブル。
【請求項４】
請求項１または請求項２に記載のコネクタ付きケーブルであって、
前記逆接続検出回路が前記逆接続状態を検出した場合に前記外部電源電圧の供給を遮断する電源遮断手段をさらに備えることを特徴とするコネクタ付きケーブル。
【請求項５】
請求項１ないし請求項４の何れかに記載のコネクタ付きケーブルであって、
前記伝送ケーブルは、前記信号線として、光信号を伝送する光ファイバを有し、
前記第１の接続回路は、電気信号である前記シリアル信号を光信号に変換する電気／光変換回路をさらに有し、
前記第２の接続回路は、光信号である前記シリアル信号を電気信号に変換する光／電気変換回路をさらに有することを特徴とするコネクタ付きケーブル。
【請求項６】
請求項１ないし請求項５の何れかに記載のコネクタ付きケーブルであって、
前記パラレル／シリアル変換回路は、カメラリンク規格の映像信号を前記シリアル信号に変換し、
前記シリアル／パラレル変換回路は、前記シリアル信号をカメラリンク規格の映像信号に変換することを特徴とするコネクタ付きケーブル。
【請求項７】
伝送ケーブルの両端に、ハウジング内に第１の接続回路を収納する第１のコネクタ、およびハウジング内に第２の接続回路を収納する第２のコネクタをそれぞれ備えるコネクタ付きケーブルであって、
前記伝送ケーブルは、
信号を伝送する信号線と、
前記第１および第２のコネクタのうちの一方のコネクタ側に供給される外部電源電圧を、前記第１および第２のコネクタのうちの他方のコネクタ側に供給する電源線と、
を有し、
前記第１の接続回路は、
前記第１のコネクタの端子を介して第１の装置から入力されるクロック信号の有無に応じて消費電流が変化する第１の内部回路と、
前記電源線の前記第１のコネクタ側の電圧を第１の電圧として測定する第１の電圧センサと、
を有し、
前記第２の接続回路は、
前記第１の内部回路に入力される前記クロック信号の有無に応じて消費電流が変化する第２の内部回路と、
前記電源線の前記第２のコネクタ側の電圧を第２の電圧として測定する第２の電圧センサと、
を有し、
前記第１および第２の接続回路のうちの一方の接続回路は、前記第１の電圧と前記第２の電圧との電圧差に基づいて、前記第１のコネクタ側が前記第２の装置に接続され、前記第２のコネクタ側が前記第１の装置に接続されている逆接続状態を検出する逆接続検出回路をさらに有することを特徴とするコネクタ付きケーブル。
【請求項８】
端子を介して第１の装置から入力されるパラレル信号をシリアル信号に変換するパラレル／シリアル変換回路をハウジング内に収納する第１のコネクタと、
前記シリアル信号をパラレル信号に変換して、端子を介して第２の装置に出力するシリアル／パラレル変換回路をハウジング内に収納する第２のコネクタと、
前記シリアル信号を伝送する信号線と、前記第１および第２のコネクタのうちの一方のコネクタ側に供給される外部電源電圧を、前記第１および第２のコネクタのうちの他方のコネクタ側に供給する電源線と、を有する伝送ケーブルと、
を備え、前記伝送ケーブルの両端に前記第１および第２のコネクタがそれぞれ設けられたコネクタ付きケーブルにおいて、前記第１のコネクタ側が前記第２の装置に接続され、前記第２のコネクタ側が前記第１の装置に接続されている逆接続状態を検出する逆接続検出方法であって、
前記パラレル／シリアル変換回路の電源電圧を生成するための前記電源線の前記第１のコネクタ側の電圧を第１の電圧として測定し、
前記シリアル／パラレル変換回路の電源電圧を生成するための前記電源線の前記第２のコネクタ側の電圧を第２の電圧として測定し、
前記第１の電圧と前記第２の電圧との電圧差に基づいて前記逆接続状態を検出することを特徴とするコネクタ付きケーブルの逆接続検出方法。
【請求項９】
請求項８に記載のコネクタ付きケーブルの逆接続検出方法であって、
前記パラレル／シリアル変換回路は、カメラリンク規格の映像信号を前記シリアル信号に変換し、
前記シリアル／パラレル変換回路は、前記シリアル信号をカメラリンク規格の映像信号に変換することを特徴とするコネクタ付きケーブルの逆接続検出方法。
【請求項１０】
端子を介して第１の装置から入力されるクロック信号の有無に応じて消費電流が変化する第１の内部回路をハウジング内に収納する第１のコネクタと、
前記第１の内部回路に入力される前記クロック信号の有無に応じて消費電流が変化する第２の内部回路をハウジング内に収納する第２のコネクタと、
信号を伝送する信号線と、前記第１および第２のコネクタのうちの一方のコネクタ側に供給される外部電源電圧を、前記第１および第２のコネクタのうちの他方のコネクタ側に供給する電源線と、を有する伝送ケーブルと、
を備え、前記伝送ケーブルの両端に前記第１および第２のコネクタがそれぞれ設けられたコネクタ付きケーブルにおいて、前記第１のコネクタ側が第２の装置に接続され、前記第２のコネクタ側が前記第１の装置に接続されている逆接続状態を検出する逆接続検出方法であって、
前記電源線の前記第１のコネクタ側の電圧を第１の電圧として測定し、
前記電源線の前記第２のコネクタ側の電圧を第２の電圧として測定し、
前記第１の電圧と前記第２の電圧との電圧差に基づいて前記逆接続状態を検出することを特徴とするコネクタ付きケーブルの逆接続検出方法。
【発明の詳細な説明】
【技術分野】
【０００１】
本発明は、コネクタ付きケーブルおよびコネクタ付きケーブルの逆接続検出方法に関する。
【背景技術】
【０００２】
カメラと処理装置間の信号を伝送する方式として、カメラリンク（Camera Link）規格に定められたカメラリンクインタフェースが知られている（非特許文献１を参照）。当該伝送方式では、ＬＶＤＳ（Low Voltage Differential Signaling）方式の１１対（２２本）の信号線（差動線）と複数のシールド線とを１本の伝送ケーブルに収納したカメラリンクケーブルが用いられる。また、１１対の差動信号は、カメラから出力される４対の映像信号（Ｘ０〜Ｘ３）、当該映像信号用の１対のクロック信号（ＸＣＬＫ）、処理装置から出力される４対のカメラ制御信号（ＣＣ１〜ＣＣ４）、およびカメラ−処理装置間の２対のシリアル通信信号（ＳｅｒＴＣ，ＳｅｒＴＦＧ）からなる。
【０００３】
ここで、カメラリンクインタフェースの構成例を図１６および図１７に示す。  
図１６の構成は、カメラリンク規格においてBase Configurationとして定められ、カメラリンクケーブル５ａを用いて、２８ビットの映像データを各７ビットの４対のシリアル信号（映像信号Ｘ０〜Ｘ３）として伝送する。当該Base Configuration用のカメラリンクケーブル５ａをＢａｓｅケーブルと称し、Ｂａｓｅケーブル（５ａ）で接続されるカメラおよび処理装置のインタフェースをＢａｓｅインタフェース（７ａ，９ａ）と称することとする。
【０００４】
また、図１７の構成は、カメラリンク規格においてFull Configurationとして定められ、Ｂａｓｅケーブル５ａとともにカメラリンクケーブル５ｂを用いて、各２８ビットの３組（８４ビット）の映像データを各７ビットの１２対のシリアル信号（映像信号Ｘ０〜Ｘ３，Ｙ０〜Ｙ３，Ｚ０〜Ｚ３）として伝送する。当該Full Configuration用のカメラリンクケーブル５ｂをＦｕｌｌケーブルと称し、Ｆｕｌｌケーブル（５ｂ）で接続されるカメラおよび処理装置のインタフェースをＦｕｌｌインタフェース（７ｂ，９ｂ）と称することとする。
【０００５】
なお、Ｆｕｌｌケーブル５ｂは、図１７に示したように、カメラ−処理装置間で互いに接続されている端子番号（ピン番号）の組み合わせがＢａｓｅケーブル５ａと同じであるため、Ｂａｓｅケーブル５ａの代わりに用いることができる。しかしながら、Ｂａｓｅケーブル５ａは、一般に、周波数が高い映像信号（Ｘ０〜Ｘ３）やクロック信号（ＸＣＬＫ）を伝送する一部の差動線のみがシールドされているため、Ｆｕｌｌケーブル５ｂの代わりに用いることはできない。
【０００６】
さらに、カメラリンク規格においては、Medium Configurationの構成も定められており、２本のＢａｓｅケーブル５ａ（またはＦｕｌｌケーブル５ｂ）を用いて、各２８ビットの２組（５６ビット）の映像データを各７ビットの８対のシリアル信号（映像信号Ｘ０〜Ｘ３，Ｙ０〜Ｙ３）として伝送する。
【０００７】
図１６および図１７に示したカメラリンクケーブル（５ａ，５ｂ）は、カメラ側コネクタ（５１ａ，５１ｂ）の端子と装置側コネクタ（５２ａ，５２ｂ）の端子との間を、メタル線（シールド線ＳＬおよび差動線ＤＬ）からなる伝送ケーブル（５０ａ，５０ｂ）のみで接続する、パッシブケーブルとして構成されている。一方、コネクタハウジング内に回路（基板）を収納し、映像信号やそれ以外の差動信号に対して処理を行うアクティブケーブルとして構成されたカメラリンクケーブルも知られている（特許文献１および特許文献２を参照）。
【０００８】
ここで、４対の映像信号（シリアル信号）をパラレル信号として取り扱い、１対のシリアル信号に変換して伝送するＢａｓｅケーブルおよびＦｕｌｌケーブルの構成の一例をそれぞれ図１８および図１９に示す。
【０００９】
図１８のＢａｓｅケーブル２ａにおいて、カメラ側コネクタ２１ａのハウジング内には、カメラ側接続回路２１０ａが収納され、装置側コネクタ２２ａのハウジング内には、装置側接続回路２２０ａが収納されている。カメラ側接続回路２１０ａのシリアライザ２１３ａは、ＰＬＬ（Phase Locked Loop：位相ロックループ）を用いて、クロック信号ＸＣＬＫから送信クロックを生成し、当該送信クロックを用いて、４対の映像信号（Ｘ０〜Ｘ３）を１対のシリアル信号に変換して出力する。また、装置側接続回路２２０ａのデシリアライザ２２３ａは、ＰＬＬを用いて、差動線２０１ａを介して伝送されたシリアル信号から受信クロックを再生し、当該受信クロックを用いて、１対のシリアル信号を４対の映像信号（Ｘ０〜Ｘ３）に変換して出力する。
【００１０】
図１９のＦｕｌｌケーブル２ｂにおいて、カメラ側コネクタ２１ｂのハウジング内には、カメラ側接続回路２１０ｂが収納され、装置側コネクタ２２ｂのハウジング内には、装置側接続回路２２０ｂが収納されている。Ｆｕｌｌケーブル２ｂでは、カメラ側接続回路２１０ｂは、２個のシリアライザ２１３ｂおよび２１５ｂを備え、装置側接続回路２２０ｂは、２個のデシリアライザ２２３ｂおよび２２５ｂを備えている。そして、シリアライザ２１３ｂおよび２１５ｂは、それぞれ４対の映像信号（Ｙ０〜Ｙ３，Ｚ０〜Ｚ３）を１対のシリアル信号に変換して出力し、デシリアライザ２２３ｂおよび２２５ｂは、それぞれ１対のシリアル信号を４対の映像信号（Ｙ０〜Ｙ３，Ｚ０〜Ｚ３）に変換して出力する。
【００１１】
ここで、４対の映像信号を１対のシリアル信号に変換し、さらに光信号に変換して伝送するＢａｓｅケーブルおよびＦｕｌｌケーブルの構成の一例をそれぞれ図２０および図２１に示す。
【００１２】
図２０のＢａｓｅケーブル３ａでは、カメラ側接続回路３１０ａは、電気／光変換回路３１４ａをさらに備え、装置側接続回路３２０ａは、光／電気変換回路３２４ａをさらに備えている。また、伝送ケーブル３０ａは、シリアル信号を伝送する信号線として、メタル線である差動線に代えて、光信号を伝送する光ファイバ３０１ａを備えている。そして、電気／光変換回路３１４ａは、シリアライザ３１３ａから出力される電気信号であるシリアル信号を光信号に変換して出力し、光／電気変換回路３２４ａは、光ファイバ３０１ａを介して伝送された光信号であるシリアル信号を電気信号に変換して出力する。
【００１３】
図２１のＦｕｌｌケーブル３ｂでは、カメラ側接続回路３１０ｂは、２個の電気／光変換回路３１４ｂおよび３１６ｂを備え、装置側接続回路３２０ｂは、２個の光／電気変換回路３２４ｂおよび３２６ｂを備えている。また、伝送ケーブル３０ｂは、２本の光ファイバ３０１ｂおよび３０３ｂを備えている。そして、電気／光変換回路３１４ｂおよび３１６ｂは、それぞれ電気信号であるシリアル信号を光信号に変換して出力し、光／電気変換回路３２４ｂおよび３２６ｂは、それぞれ光信号であるシリアル信号を電気信号に変換して出力する。
【先行技術文献】
【特許文献】
【００１４】
【特許文献１】特開２０１１−４１３１０号公報
【特許文献２】特開２０１２−６０５２２号公報
【非特許文献】
【００１５】
【非特許文献１】Automated Imaging Association (AIA), "CameraLink， Specifications of the Camera Link Interface Standard for Digital Cameras and Frame Grabbers, Version 1.2," January 2007
【発明の概要】
【発明が解決しようとする課題】
【００１６】
図１６および図１７に示したように、パッシブケーブルとして構成されたカメラリンクケーブル（５ａ，５ｂ）は、カメラ−処理装置間で互いに接続されている端子番号が左右対称となっている。例えば、カメラ側コネクタ（５１ａ，５１ｂ）の端子番号１５が装置側コネクタ（５２ａ，５２ｂ）の端子番号１２と接続されているのに対して、装置側コネクタの端子番号１５がカメラ側コネクタの端子番号１２と接続されている。
【００１７】
そのため、Ｆｕｌｌケーブル５ｂは、カメラ側コネクタ５１ｂをＦｕｌｌインタフェース（処理装置）９ｂに接続し、装置側コネクタ５２ｂをＦｕｌｌインタフェース（カメラ）７ｂに接続する逆接続を行っても、正常に信号を伝送することができる。また、Ｂａｓｅケーブル５ａは、前述したように、一部の差動線のみがシールドされているため、逆接続を行うと伝送エラーが発生する場合があるものの、カメラおよび処理装置のＢａｓｅインタフェース（７ａ，９ａ）が破壊されることはない。
【００１８】
しかしながら、アクティブケーブルとして構成されたカメラリンクケーブル（２ａ，２ｂ，３ａ，３ｂ）を用いる場合、逆接続によって出力同士が接続されてしまい、インタフェースや接続回路が破壊される恐れがある。
【００１９】
例えば図２２に示すように、Ｂａｓｅケーブル２ａを逆接続した場合、Ｂａｓｅインタフェース（カメラ）７ａからのシリアル通信信号（ＳｅｒＴＦＧ）出力と、装置側接続回路２２０ａ（デシリアライザ２２３ａ）からの映像信号（Ｘ３）出力とが接続されることとなる。そのため、当該逆接続状態が長時間継続すると、Ｂａｓｅインタフェース（カメラ）７ａや装置側接続回路２２０ａが破壊される可能性がある。また、Ｂａｓｅケーブル３ａの逆接続についても同様である。
【００２０】
また、例えば図２３に示すように、Ｆｕｌｌケーブル２ｂを逆接続した場合、Ｆｕｌｌインタフェース（カメラ）７ｂからの映像信号（Ｚ０〜Ｚ３，Ｙ０〜Ｙ３）出力およびクロック信号（ＺＣＬＫ，ＹＣＬＫ）出力と、装置側接続回路２２０ｂ（デシリアライザ２２３ｂ，２２５ｂ）からの映像信号（Ｙ０〜Ｙ３，Ｚ０〜Ｚ３）出力およびクロック信号（ＹＣＬＫ，ＺＣＬＫ）出力とが接続されることとなる。そのため、当該逆接続状態が長時間継続すると、Ｆｕｌｌインタフェース（カメラ）７ｂや装置側接続回路２２０ｂが破壊される可能性がある。特に、Ｆｕｌｌケーブル２ｂの逆接続では、Ｂａｓｅケーブル２ａの逆接続の場合に比べて、出力同士の接続箇所が多いため、破壊の可能性が高くなる。また、Ｆｕｌｌケーブル３ｂの逆接続についても同様である。
【００２１】
なお、Base Configurationの構成における逆接続状態は、図２４に示す接続形態２であり、Full Configurationの構成における逆接続状態は、図２５に示す接続形態２ないし接続形態４の何れかである。したがって、図２２に示したようなＢａｓｅケーブルの逆接続と、図２３に示したようなＦｕｌｌケーブルの逆接続とに対してそれぞれ対策を行えばよい。
【課題を解決するための手段】
【００２２】
前述した課題を解決する主たる本発明は、伝送ケーブルの両端に、ハウジング内に第１の接続回路を収納する第１のコネクタ、およびハウジング内に第２の接続回路を収納する第２のコネクタをそれぞれ備えるコネクタ付きケーブルであって、前記伝送ケーブルは、信号を伝送する信号線と、前記第１および第２のコネクタのうちの一方のコネクタ側に供給される外部電源電圧を、前記第１および第２のコネクタのうちの他方のコネクタ側に供給する電源線と、を有し、前記第１の接続回路は、前記第１のコネクタの端子を介して第１の装置から入力されるパラレル信号をシリアル信号に変換するパラレル／シリアル変換回路と、前記電源線の前記第１のコネクタ側の電圧から、少なくとも前記パラレル／シリアル変換回路の電源電圧を生成する第１の電源回路と、前記電源線の前記第１のコネクタ側の電圧を第１の電圧として測定する第１の電圧センサと、を有し、前記第２の接続回路は、前記信号線を介して伝送された前記シリアル信号をパラレル信号に変換して、前記第２のコネクタの端子を介して第２の装置に出力するシリアル／パラレル変換回路と、前記電源線の前記第２のコネクタ側の電圧から、少なくとも前記シリアル／パラレル変換回路の電源電圧を生成する第２の電源回路と、前記電源線の前記第２のコネクタ側の電圧を第２の電圧として測定する第２の電圧センサと、を有し、前記第１および第２の接続回路のうちの一方の接続回路は、前記第１の電圧と前記第２の電圧との電圧差に基づいて、前記第１のコネクタ側が前記第２の装置に接続され、前記第２のコネクタ側が前記第１の装置に接続されている逆接続状態を検出する逆接続検出回路をさらに有することを特徴とするコネクタ付きケーブルである。
【００２３】
また、前述した課題を解決するその他の主たる本発明は、伝送ケーブルの両端に、ハウジング内に第１の接続回路を収納する第１のコネクタ、およびハウジング内に第２の接続回路を収納する第２のコネクタをそれぞれ備えるコネクタ付きケーブルであって、前記伝送ケーブルは、信号を伝送する信号線と、前記第１および第２のコネクタのうちの一方のコネクタ側に供給される外部電源電圧を、前記第１および第２のコネクタのうちの他方のコネクタ側に供給する電源線と、を有し、前記第１の接続回路は、前記第１のコネクタの端子を介して第１の装置から入力されるクロック信号の有無に応じて消費電流が変化する第１の内部回路と、前記電源線の前記第１のコネクタ側の電圧を第１の電圧として測定する第１の電圧センサと、を有し、前記第２の接続回路は、前記第１の内部回路に入力される前記クロック信号の有無に応じて消費電流が変化する第２の内部回路と、前記電源線の前記第２のコネクタ側の電圧を第２の電圧として測定する第２の電圧センサと、を有し、前記第１および第２の接続回路のうちの一方の接続回路は、前記第１の電圧と前記第２の電圧との電圧差に基づいて、前記第１のコネクタ側が前記第２の装置に接続され、前記第２のコネクタ側が前記第１の装置に接続されている逆接続状態を検出する逆接続検出回路をさらに有することを特徴とするコネクタ付きケーブルである。
【００２４】
本発明の他の特徴については、添付図面及び本明細書の記載により明らかとなる。
【発明の効果】
【００２５】
本発明によれば、アクティブケーブルとして構成されたコネクタ付きケーブルの逆接続状態を検出することができる。
【図面の簡単な説明】
【００２６】
【図１】本発明の一実施形態におけるコネクタ付きケーブルのＢａｓｅケーブルとしての構成を示すブロック図である。
【図２】本発明の一実施形態におけるコネクタ付きケーブルのＦｕｌｌケーブルとしての構成を示すブロック図である。
【図３】図１に示したコネクタ付きケーブル（Ｂａｓｅケーブル）の逆接続状態を示すブロック図である。
【図４】図２に示したコネクタ付きケーブル（Ｆｕｌｌケーブル）の逆接続状態を示すブロック図である。
【図５】図１および図２に示したコネクタ付きケーブルの正常接続状態において、各部を抵抗のみで表した等価回路を示す回路ブロック図である。
【図６】図３および図４に示したコネクタ付きケーブルの逆接続状態において、各部を抵抗のみで表した等価回路を示す回路ブロック図である。
【図７】図１および図２に示したコネクタ付きケーブルにおいて、逆接続検出回路として機能するＭＣＵ（マイクロコントローラ）の起動時の動作を説明するフローチャートである。
【図８】図１および図２に示したコネクタ付きケーブルにおいて、逆接続検出回路として機能するＭＣＵ（マイクロコントローラ）の設定モードにおける動作を説明するフローチャートである。
【図９】図１および図２に示したコネクタ付きケーブルにおいて、逆接続検出回路として機能するＭＣＵ（マイクロコントローラ）の検出モードにおける動作を説明するフローチャートである。
【図１０】コネクタ付きケーブルのＢａｓｅケーブルとしての他の構成例を示すブロック図である。
【図１１】コネクタ付きケーブルのＦｕｌｌケーブルとしての他の構成例を示すブロック図である。
【図１２】図１０に示したコネクタ付きケーブル（Ｂａｓｅケーブル）の逆接続状態を示すブロック図である。
【図１３】図１１に示したコネクタ付きケーブル（Ｆｕｌｌケーブル）の逆接続状態を示すブロック図である。
【図１４】図１０および図１１に示したコネクタ付きケーブルの正常接続状態において、各部を抵抗のみで表した等価回路を示す回路ブロック図である。
【図１５】図１０および図１１に示したコネクタ付きケーブルの逆接続状態において、各部を抵抗のみで表した等価回路を示す回路ブロック図である。
【図１６】カメラリンク規格において、一般的なパッシブケーブルを用いたBase Configurationの構成の一例を示すブロック図である。
【図１７】カメラリンク規格において、一般的なパッシブケーブルを用いたFull Configurationの構成の一例を示すブロック図である。
【図１８】カメラリンク規格の映像信号をシリアル信号に変換して伝送するアクティブケーブルとして構成されたＢａｓｅケーブルの一例を示すブロック図である。
【図１９】カメラリンク規格の映像信号をシリアル信号に変換して伝送するアクティブケーブルとして構成されたＦｕｌｌケーブルの一例を示すブロック図である。
【図２０】カメラリンク規格の映像信号を光信号に変換して伝送するアクティブケーブルとして構成されたＢａｓｅケーブルの一例を示すブロック図である。
【図２１】カメラリンク規格の映像信号を光信号に変換して伝送するアクティブケーブルとして構成されたＦｕｌｌケーブルの一例を示すブロック図である。
【図２２】図１８に示したコネクタ付きケーブル（Ｂａｓｅケーブル）の逆接続状態を示すブロック図である。
【図２３】図１９に示したコネクタ付きケーブル（Ｆｕｌｌケーブル）の逆接続状態を示すブロック図である。
【図２４】カメラリンク規格のBase ConfigurationにおけるＢａｓｅケーブルの接続形態を示す図である。
【図２５】カメラリンク規格のFull ConfigurationにおけるＢａｓｅケーブルおよびＦｕｌｌケーブルの接続形態を示す図である。
【発明を実施するための形態】
【００２７】
本明細書および添付図面の記載により、少なくとも以下の事項が明らかとなる。
【００２８】
＝＝＝コネクタ付きケーブルの構成および動作＝＝＝
以下、図１および図２を参照して、本発明の一実施形態におけるコネクタ付きケーブルの構成および動作について説明する。
【００２９】
図１は、本実施形態のコネクタ付きケーブルのＢａｓｅケーブルとしての構成を示している。図１に示されているＢａｓｅケーブル１ａは、伝送ケーブル１０ａの両端に、ハウジング内にカメラ側接続回路１１０ａ（第１の接続回路）を収納するカメラ側コネクタ１１ａ（第１のコネクタ）、およびハウジング内に装置側接続回路１２０ａ（第２の接続回路）を収納する装置側コネクタ１２ａ（第２のコネクタ）をそれぞれ備えている。
【００３０】
伝送ケーブル１０ａは、差動信号を伝送する８対（１６本）の差動線１０１ａないし１０８ａ（信号線）と、４本のシールド線ＳＬ（電源線）とからなる。差動線１０３ａおよび１０４ａは、それぞれカメラ−処理装置間の２対のシリアル通信信号（ＳｅｒＴＣ，ＳｅｒＴＦＧ）を伝送し、差動線１０５ａないし１０８ａは、それぞれ処理装置から出力される４対のカメラ制御信号（ＣＣ１〜ＣＣ４）をカメラに伝送する。また、Ｂａｓｅケーブル１ａは、ＰｏＣＬ（Power over Camera Link）対応ケーブルであり、装置側コネクタ１２ａ（一方のコネクタ）側に供給される１２Ｖの外部電源電圧は、シールド線ＳＬを介して、カメラ側コネクタ１１ａ（他方のコネクタ）側に供給される。
【００３１】
カメラ側接続回路１１０ａは、ＤＣ−ＤＣコンバータ１１１ａ、ＭＣＵ（Micro Control Unit：マイクロコントローラ）１１２ａ、シリアライザ１１３ａ、および電圧センサ１１５ａを含んで構成されている。
【００３２】
カメラ（第１の装置）のＢａｓｅインタフェース７ａからシリアライザ１１３ａ（パラレル／シリアル変換回路）には、カメラ側コネクタ１１ａの端子を介して、４対の映像信号（Ｘ０〜Ｘ３）および１対のクロック信号（ＸＣＬＫ）が入力されている。また、シリアライザ１１３ａは、ＰＬＬを用いて、クロック信号ＸＣＬＫから送信クロックを生成し、当該送信クロックを用いて、Ｂａｓｅインタフェース（カメラ）７ａから順次入力される４対の映像信号Ｘ０ないしＸ３（パラレル信号）を１対のシリアル信号に変換して出力する。そして、当該１対のシリアル信号は、差動線１０１ａを介して、装置側接続回路１２０ａに伝送される。
【００３３】
ＤＣ−ＤＣコンバータ１１１ａ（第１の電源回路）は、シールド線ＳＬのカメラ側コネクタ１１ａ側の電圧から、ＭＣＵ１１２ａ、シリアライザ１１３ａ、および電圧センサ１１５ａの電源電圧ＶＣＣを生成する。また、電圧センサ１１５ａ（第１の電圧センサ）は、シールド線ＳＬのカメラ側コネクタ１１ａ側の電圧Ｖ１ａ（第１の電圧）を測定してＭＣＵ１１２ａに入力する。
【００３４】
装置側接続回路１２０ａは、ＤＣ−ＤＣコンバータ１２１ａ、ＭＣＵ１２２ａ、デシリアライザ１２３ａ、および電圧センサ１２５ａを含んで構成されている。
【００３５】
デシリアライザ１２３ａ（シリアル／パラレル変換回路）には、差動線１０１ａを介して伝送された１対のシリアル信号が入力されている。また、デシリアライザ１２３ａは、ＰＬＬを用いて、１対のシリアル信号から受信クロックを再生し、当該受信クロックを用いて、１対のシリアル信号を４対の映像信号Ｘ０ないしＸ３（パラレル信号）に変換する。そして、当該４対の映像信号（Ｘ０〜Ｘ３）は、１対のクロック信号（ＸＣＬＫ）とともに、装置側コネクタ１２ａの端子を介して、処理装置（第２の装置）のＢａｓｅインタフェース９ａに出力される。
【００３６】
ＤＣ−ＤＣコンバータ１２１ａ（第２の電源回路）は、シールド線ＳＬの装置側コネクタ１２ａ側の電圧から、ＭＣＵ１２２ａ、デシリアライザ１２３ａ、および電圧センサ１２５ａの電源電圧ＶＣＣを生成する。また、電圧センサ１２５ａ（第２の電圧センサ）は、シールド線ＳＬの装置側コネクタ１２ａ側の電圧Ｖ２ａ（第２の電圧）を測定してＭＣＵ１２２ａに入力する。
【００３７】
なお、カメラ側接続回路１１０ａのＭＣＵ１１２ａと装置側接続回路１２０ａのＭＣＵ１２２ａとは、差動線１０２ａを介して通信可能となっている。
【００３８】
例えば、ＭＣＵ１２２ａには、デシリアライザ１２３ａにおける受信クロックの再生が完了したことを示すＬＯＣＫ信号が入力され、当該ＬＯＣＫ信号は、差動線１０２ａを介してＭＣＵ１１２ａに伝送される。そして、ＭＣＵ１１２ａは、ＬＯＣＫ信号をシリアライザ１１３ａに入力し、Ｂａｓｅインタフェース（カメラ）７ａから入力される４対の映像信号（Ｘ０〜Ｘ３）のパラレル／シリアル変換を開始させる。
【００３９】
また、例えば、カメラ側接続回路１１０ａおよび装置側接続回路１２０ａのうちの一方の接続回路のＭＣＵ（例えばＭＣＵ１２２ａ）は、他方の接続回路のＭＣＵ（例えばＭＣＵ１１２ａ）から、電圧センサによって測定された電圧（例えば電圧Ｖ２ａ）を取得する。そして、当該一方の接続回路のＭＣＵは、電圧Ｖ１ａと電圧Ｖ２ａとの電圧差に基づいて逆接続状態を検出する逆接続検出回路として機能する。
【００４０】
図２は、本実施形態のコネクタ付きケーブルのＦｕｌｌケーブルとしての構成を示している。図２に示されているＦｕｌｌケーブル１ｂは、伝送ケーブル１０ｂの両端に、ハウジング内にカメラ側接続回路１１０ｂ（第１の接続回路）を収納するカメラ側コネクタ１１ｂ（第１のコネクタ）、およびハウジング内に装置側接続回路１２０ｂ（第２の接続回路）を収納する装置側コネクタ１２ｂ（第２のコネクタ）をそれぞれ備えている。
【００４１】
伝送ケーブル１０ｂは、差動信号を伝送する４対（８本）の差動線１０１ｂないし１０４ｂ（信号線）と、４本のシールド線ＳＬ（電源線）とからなる。差動線１０４ｂの両端は、それぞれカメラ側コネクタ１１ｂおよび装置側コネクタ１２ｂの１対の未使用端子（端子番号７，２０）に接続されており、通常これらの未使用端子を介して１００Ωで終端されている。また、Ｆｕｌｌケーブル１ｂは、ＰｏＣＬ対応ケーブルであり、装置側コネクタ１２ｂ（一方のコネクタ）側に供給される１２Ｖの外部電源電圧は、シールド線ＳＬを介して、カメラ側コネクタ１１ｂ（他方のコネクタ）側に供給される。
【００４２】
カメラ側接続回路１１０ｂは、ＤＣ−ＤＣコンバータ１１１ｂ、ＭＣＵ１１２ｂ、シリアライザ１１３ｂ、１１４ｂ、および電圧センサ１１５ｂを含んで構成されている。
【００４３】
カメラ（第１の装置）のＦｕｌｌインタフェース７ｂからシリアライザ１１３ｂおよび１１４ｂ（パラレル／シリアル変換回路）には、カメラ側コネクタ１１ｂの端子を介して、それぞれ４対の映像信号（Ｙ０〜Ｙ３，Ｚ０〜Ｚ３）および１対のクロック信号（ＹＣＬＫ，ＺＣＬＫ）が入力されている。また、シリアライザ１１３ｂは、ＰＬＬを用いて、クロック信号ＹＣＬＫから送信クロックを生成し、当該送信クロックを用いて、Ｆｕｌｌインタフェース（カメラ）７ｂから順次入力される４対の映像信号Ｙ０ないしＹ３（パラレル信号）を１対のシリアル信号に変換して出力する。一方、シリアライザ１１４ｂは、ＰＬＬを用いて、クロック信号ＺＣＬＫから送信クロックを生成し、当該送信クロックを用いて、Ｆｕｌｌインタフェース（カメラ）７ｂから順次入力される４対の映像信号Ｚ０ないしＺ３（パラレル信号）を１対のシリアル信号に変換して出力する。そして、当該２対のシリアル信号は、それぞれ差動線１０１ｂおよび１０３ｂを介して、装置側接続回路１２０ｂに伝送される。
【００４４】
ＤＣ−ＤＣコンバータ１１１ｂ（第１の電源回路）は、シールド線ＳＬのカメラ側コネクタ１１ｂ側の電圧から、ＭＣＵ１１２ｂ、シリアライザ１１３ｂ、１１４ｂ、および電圧センサ１１５ｂの電源電圧ＶＣＣを生成する。また、電圧センサ１１５ｂ（第１の電圧センサ）は、シールド線ＳＬのカメラ側コネクタ１１ｂ側の電圧Ｖ１ｂ（第１の電圧）を測定してＭＣＵ１１２ｂに入力する。
【００４５】
装置側接続回路１２０ｂは、ＤＣ−ＤＣコンバータ１２１ｂ、ＭＣＵ１２２ｂ、デシリアライザ１２３ｂ、１２４ｂ、および電圧センサ１２５ｂを含んで構成されている。
【００４６】
デシリアライザ１２３ｂおよび１２４ｂ（シリアル／パラレル変換回路）には、それぞれ差動線１０１ｂおよび１０３ｂを介して伝送された２対のシリアル信号が入力されている。また、デシリアライザ１２３ｂは、ＰＬＬを用いて、差動線１０１ｂを介して伝送された１対のシリアル信号から受信クロックを再生し、当該受信クロックを用いて、１対のシリアル信号を４対の映像信号Ｙ０ないしＹ３（パラレル信号）に変換する。一方、デシリアライザ１２４ｂは、ＰＬＬを用いて、差動線１０３ｂを介して伝送された１対のシリアル信号から受信クロックを再生し、当該受信クロックを用いて、１対のシリアル信号を４対の映像信号Ｚ０ないしＺ３（パラレル信号）に変換する。そして、当該８対の映像信号（Ｙ０〜Ｙ３，Ｚ０〜Ｚ３）は、２対のクロック信号（ＹＣＬＫ，ＺＣＬＫ）とともに、装置側コネクタ１２ｂの端子を介して、処理装置（第２の装置）のＦｕｌｌインタフェース９ｂに出力される。
【００４７】
ＤＣ−ＤＣコンバータ１２１ｂ（第２の電源回路）は、シールド線ＳＬの装置側コネクタ１２ｂ側の電圧から、ＭＣＵ１２２ｂ、デシリアライザ１２３ｂ、１２４ｂ、および電圧センサ１２５ｂの電源電圧ＶＣＣを生成する。また、電圧センサ１２５ｂ（第２の電圧センサ）は、シールド線ＳＬの装置側コネクタ１２ｂ側の電圧Ｖ２ｂ（第２の電圧）を測定してＭＣＵ１２２ｂに入力する。
【００４８】
なお、カメラ側接続回路１１０ｂのＭＣＵ１１２ｂと装置側接続回路１２０ｂのＭＣＵ１２２ｂとは、差動線１０２ｂを介して通信可能となっている。
【００４９】
例えば、ＭＣＵ１２２ｂには、デシリアライザ１２３ｂおよび１２４ｂのそれぞれにおける受信クロックの再生が完了したことを示すＬＯＣＫ１信号およびＬＯＣＫ２信号が入力され、当該ＬＯＣＫ１信号およびＬＯＣＫ２信号は、差動線１０２ｂを介してＭＣＵ１１２ｂに伝送される。そして、ＭＣＵ１１２ｂは、ＬＯＣＫ１信号およびＬＯＣＫ２信号に応じてＬＯＣＫ信号をシリアライザ１１３ｂおよび１１４ｂに入力し、Ｆｕｌｌインタフェース（カメラ）７ｂから入力されるそれぞれ４対の映像信号（Ｙ０〜Ｙ３，Ｚ０〜Ｚ３）のパラレル／シリアル変換を開始させる。
【００５０】
また、例えば、カメラ側接続回路１１０ｂおよび装置側接続回路１２０ｂのうちの一方の接続回路のＭＣＵ（例えばＭＣＵ１２２ｂ）は、他方の接続回路のＭＣＵ（例えばＭＣＵ１１２ｂ）から、電圧センサによって測定された電圧（例えば電圧Ｖ２ｂ）を取得する。そして、当該一方の接続回路のＭＣＵは、電圧Ｖ１ｂと電圧Ｖ２ｂとの電圧差に基づいて逆接続状態を検出する逆接続検出回路として機能する。
【００５１】
＝＝＝コネクタ付きケーブルの逆接続検出方法＝＝＝
以下、図３ないし図９を適宜参照して、本実施形態のコネクタ付きケーブルにおいて、逆接続状態を検出する方法について説明する。
【００５２】
図３および図４は、それぞれＢａｓｅケーブル１ａおよびＦｕｌｌケーブル１ｂの逆接続状態を示している。図３において、Ｂａｓｅケーブル１ａは、カメラ側コネクタ１１ａがＢａｓｅインタフェース（処理装置）９ａに接続され、装置側コネクタ１２ａがＢａｓｅインタフェース（カメラ）７ａに接続されている。一方、図４において、Ｆｕｌｌケーブル１ｂは、カメラ側コネクタ１１ｂがＦｕｌｌインタフェース（処理装置）９ｂに接続され、装置側コネクタ１２ｂがＦｕｌｌインタフェース（カメラ）７ｂに接続されている。
【００５３】
また、各ノードの電圧の観点から、カメラリンクケーブル（１ａ，１ｂ）の各部を抵抗のみで表した等価回路を図５および図６に示す。なお、図５は、正常接続状態（図１および図２）における等価回路を示し、図６は、逆接続状態（図３および図４）における等価回路を示している。
【００５４】
図５および図６において、抵抗Ｒ１およびＲ２は、それぞれ伝送ケーブル（１０ａ，１０ｂ）の＋１２Ｖ用およびＧＮＤ用のシールド線を表している。また、抵抗Ｒ１１およびＲ２１は、それぞれカメラ側接続回路１１０（１１０ａ，１１０ｂ）のＤＣ−ＤＣコンバータ１１１（１１１ａ，１１１ｂ）、および装置側接続回路１２０（１２０ａ，１２０ｂ）のＤＣ−ＤＣコンバータ１２１（１２１ａ，１２１ｂ）を表している。さらに、抵抗Ｒ１２およびＲ２２は、それぞれカメラ側接続回路１１０および装置側接続回路１２０のＤＣ−ＤＣコンバータ以外の回路を表している。
【００５５】
図５に示すように、正常接続状態においては、処理装置のＢａｓｅ／Ｆｕｌｌインタフェース９（９ａ，９ｂ）から装置側接続回路１２０に１２Ｖの外部電源電圧が供給され、当該外部電源電圧は、抵抗Ｒ１およびＲ２を介して、カメラ側接続回路１１０に供給される。したがって、抵抗Ｒ１およびＲ２に流れる電流値をＩ１とすると、正常接続状態における電圧Ｖ１（Ｖ１ａ，Ｖ１ｂ）と電圧Ｖ２（Ｖ２ａ，Ｖ２ｂ）との電圧差ΔＶ１は、
ΔＶ１＝Ｖ２−Ｖ１＝（Ｒ１＋Ｒ２）・Ｉ１
となる。
【００５６】
一方、図６に示すように、逆接続状態においては、処理装置のＢａｓｅ／Ｆｕｌｌインタフェース９からカメラ側接続回路１１０に１２Ｖの外部電源電圧が供給され、当該外部電源電圧は、抵抗Ｒ１およびＲ２を介して、装置側接続回路１２０に供給される。したがって、抵抗Ｒ１およびＲ２に流れる電流値をＩ０とすると、逆接続状態における電圧Ｖ１と電圧Ｖ２との電圧差ΔＶ０は、
ΔＶ０＝Ｖ１−Ｖ２＝（Ｒ１＋Ｒ２）・Ｉ０
となる。
【００５７】
ここで、図３および図４に示すように、逆接続状態においては、シリアライザ（１１３ａ，１１３ｂ，１１４ｂ）にクロック信号（ＸＣＬＫ，ＹＣＬＫ，ＺＣＬＫ）が入力されないため、ＰＬＬが送信クロックを生成することができず、パラレル／シリアル変換は行われない。さらに、デシリアライザ（１２３ａ，１２３ｂ，１２４ｂ）にシリアル信号が入力されないため、ＰＬＬが受信クロックを再生することができず、シリアル／パラレル変換も行われない。そのため、逆接続状態においては、正常接続状態の場合に比べて、シリアライザおよびデシリアライザにおける消費電流が低下することとなる。
【００５８】
したがって、図６（逆接続状態）における装置側接続回路１２０の消費電流Ｉ０は、図５（正常接続状態）におけるカメラ側接続回路１１０の消費電流Ｉ１より小さくなり、図６（逆接続状態）における電圧差ΔＶ１は、図５（正常接続状態）における電圧差ΔＶ０より小さくなる。そこで、本実施形態では、このように接続状態に応じて変化する電圧Ｖ１と電圧Ｖ２との電圧差に基づいて逆接続状態を検出する。
【００５９】
前述したように、本実施形態では、カメラ側接続回路１１０および装置側接続回路１２０のうちの一方の接続回路（例えば装置側接続回路１２０）のＭＣＵが逆接続検出回路として機能する。ここで、当該ＭＣＵの逆接続検出回路としての動作を図７ないし図９に示す。
【００６０】
図７において、電源が投入され、ＭＣＵが起動すると（Ｓ１）、まず、電圧Ｖ２を所定の電圧Ｖｓｅｔ（＜１２Ｖ）と比較し（Ｓ２）、Ｖ２＜Ｖｓｅｔの場合（Ｓ２：ＹＥＳ）には、逆接続状態を検出するための閾値Ｖｔｈを設定する設定モードに移行する（Ｓ４）。例えば、外部電源電圧として、１２Ｖより低く、カメラ側接続回路１１０および装置側接続回路１２０が動作するのに十分な電圧を供給することによって、設定モードに移行することができる。
【００６１】
図８に示すように、設定モードが開始されると（Ｓ４１）、まず、ケーブル長Ｌｃ（伝送ケーブルの長さ［ｍ］）、およびケーブル抵抗Ｒｃ（シールド線の単位長さ当たりの抵抗値［Ω／ｍ］）を取得する（Ｓ４２）。当該ケーブル長Ｌｃおよびケーブル抵抗Ｒｃは、外部から入力され、ＲＡＭ（Random Access Memory）やＥＥＰＲＯＭ（Electrically Erasable Programmable Read-Only Memory）などに格納される。
【００６２】
次に、１２Ｖの外部電源電圧の供給が開始された後（Ｓ４３）、クロック信号（ＸＣＬＫ，ＹＣＬＫ，ＺＣＬＫ）が入力されていない状態での電圧Ｖ１の初期値Ｖ１ｉｎｉおよび電圧Ｖ２の初期値Ｖ２ｉｎｉを取得し（Ｓ４４）、ＥＥＰＲＯＭなどに格納する。そして、閾値Ｖｔｈを、
Ｖｔｈ＝（Ｖ２ｉｎｉ−Ｖ１ｉｎｉ）＋ａ・Ｒｃ・Ｌｃ・ΔＩ
と算出し（Ｓ４５）、設定終了フラグＦＬ＝１として、設定モードを終了する（Ｓ４６）。ここで、ΔＩは、クロック信号（ＸＣＬＫ，ＹＣＬＫ，ＺＣＬＫ）の入力の有無に応じた消費電流（シールド線に流れる電流）の変化分であり、事前に測定され、ＥＥＰＲＯＭなどに格納されている。また、ａは所定の係数（例えば０．９）である。
【００６３】
一方、図７のＳ２において、Ｖ２≧Ｖｓｅｔの場合（Ｓ２：ＮＯ）に、設定終了フラグＦＬ＝１の場合（Ｓ３：ＹＥＳ）には、逆接続状態を検出する検出モードに移行する（Ｓ５）。
【００６４】
図９に示すように、検出モードが開始されると（Ｓ５１）、まず、電源投入から所定時間Ｔｗａｉｔだけ待機した後（Ｓ５２）、電圧Ｖ１およびＶ２を取得し（Ｓ５３）、電圧差ΔＶ（＝｜Ｖ２−Ｖ１｜）を閾値Ｖｔｈと比較する（Ｓ５４）。そして、ΔＶ＜Ｖｔｈの場合（Ｓ５４：ＹＥＳ）には、逆接続状態を検出したことを示すアラーム（警報）を発したうえで（Ｓ５５）、Ｓ５３に戻り、以降の処理を繰り返す。例えば、警報手段としてのＬＥＤ（Light Emitting Diode：発光ダイオード）を発光させることによって、当該アラームを発する。一方、ΔＶ≧Ｖｔｈの場合（Ｓ５４：ＮＯ）には、そのままＳ５３に戻り、以降の処理を繰り返す。
【００６５】
なお、図７のＳ３において、設定終了フラグＦＬ＝０の場合（Ｓ３：ＮＯ）には、逆接続状態を検出しない不検出モードに移行する（Ｓ６）。
【００６６】
以上のように、本実施形態のコネクタ付きケーブルの逆接続検出方法では、電圧Ｖ１と電圧Ｖ２との電圧差ΔＶを、シールド線の抵抗値およびシールド線に流れる電流値に基づいて予め設定された閾値Ｖｔｈと比較して、逆接続状態を検出する。なお、本実施形態のコネクタ付きケーブルは、前述した警報手段に代えて、または警報手段に追加して、逆接続状態を検出した場合に外部電源電圧の供給を遮断する電源遮断手段を備えていてもよい。
【００６７】
＝＝＝コネクタ付きケーブルの他の構成例＝＝＝
上記実施形態では、コネクタ付きケーブルは、映像信号をシリアル信号に変換して伝送するアクティブケーブルとして構成されているが、これに限定されるものではない。
【００６８】
例えば図２０および図２１に示したように、光信号を伝送する光ファイバ、電気信号であるシリアル信号を光信号に変換する電気／光変換回路、および光信号であるシリアル信号を電気信号に変換する光／電気変換回路を備え、映像信号を光信号に変換して伝送するアクティブケーブルとして構成されていてもよい。また、上記実施形態の逆接続検出方法は、シリアライザおよびデシリアライザ以外に、外部からＰＬＬにクロック信号が入力される回路を備えたコネクタ付きケーブルにも適用することができる。さらに、上記実施形態の逆接続検出方法は、ＰＬＬ以外に、クロック信号の入力の有無に応じて消費電流が変化する回路を備えたコネクタ付きケーブルにも広く適用することができる。
【００６９】
上記実施形態では、コネクタ付きケーブルは、ＰｏＣＬ対応のカメラリンクケーブルとして構成されているが、これに限定されるものではない。ここで、ＰｏＣＬ非対応のカメラリンクケーブルとしての構成を図１０および図１１に示す。図１０および図１１に示すように、ＰｏＣＬ非対応のカメラリンクケーブル（Ｂａｓｅケーブル１ｃ，Ｆｕｌｌケーブル１ｄ）では、１２Ｖの外部電源電圧が処理装置以外から直接装置側コネクタ（１２ｃ，１２ｄ）側に供給され、さらにシールド線ＳＬを介して、カメラ側コネクタ（１１ｃ，１１ｄ）側に供給される。
【００７０】
また、ＰｏＣＬ非対応のカメラリンクケーブル（１ｃ，１ｄ）では、図１２および図１３に示すように、逆接続をした場合でも、１２Ｖの外部電源電圧が装置側コネクタ（１２ｃ，１２ｄ）側に供給される。そのため、図１４および図１５に示すように、図１５（逆接続状態）におけるカメラ側接続回路１１０の消費電流Ｉ０は、図１４（正常接続状態）におけるカメラ側接続回路１１０の消費電流Ｉ１より小さくなり、図１５（逆接続状態）における電圧差ΔＶ１は、図１４（正常接続状態）における電圧差ΔＶ０より小さくなる。したがって、コネクタ付きケーブルがＰｏＣＬ非対応のカメラリンクケーブルとして構成されている場合であっても、このように接続状態に応じて変化する電圧Ｖ１と電圧Ｖ２との電圧差に基づいて逆接続状態を検出することができる。
【００７１】
前述したように、パラレル信号をシリアル信号に変換して伝送するアクティブケーブルとして構成されたコネクタ付きケーブル（１ａ，１ｂ）において、伝送ケーブル（１０ａ，１０ｂ）の両端のコネクタハウジング内にそれぞれ接続回路を収納し、第１の接続回路（１１０ａ，１１０ｂ）に、一方のコネクタ側に供給される外部電源電圧を他方のコネクタ側に供給する電源線（ＳＬ）の第１のコネクタ（１１ａ，１１ｂ）側の第１の電圧（Ｖ１ａ，Ｖ１ｂ）を測定する第１の電圧センサ（１１５ａ，１１５ｂ）を設け、第２の接続回路（１２０ａ，１２０ｂ）に、電源線（ＳＬ）の第２のコネクタ（１２ａ，１２ｂ）側の第２の電圧（Ｖ２ａ，Ｖ２ｂ）を測定する第２の電圧センサ（１２５ａ，１２５ｂ）を設けることによって、第１の電圧と第２の電圧との電圧差ΔＶに基づいて逆接続状態を検出することができる。
【００７２】
また、電源線（ＳＬ）の抵抗値および電源線（ＳＬ）に流れる電流値に基づいて、逆接続状態を検出するための閾値Ｖｔｈを予め設定することによって、電圧差ΔＶを当該閾値Ｖｔｈと比較して逆接続状態を検出することができる。
【００７３】
また、逆接続状態を検出したことを示す警報を発するＬＥＤなどの警報手段を設けることによって、逆接続状態を解消するようユーザに促すことができる。
【００７４】
また、逆接続状態を検出した場合に外部電源電圧の供給を遮断する電源遮断手段を設けることによって、逆接続状態が長時間継続してインタフェースや接続回路が破壊されるのを防止することができる。
【００７５】
また、光信号を伝送する光ファイバ、電気信号であるシリアル信号を光信号に変換する電気／光変換回路、および光信号であるシリアル信号を電気信号に変換する光／電気変換回路を備え、パラレル信号を光信号に変換して伝送するアクティブケーブルとして構成されコネクタ付きケーブルにおいても同様に、第１の電圧と第２の電圧との電圧差ΔＶに基づいて逆接続状態を検出することができる。
【００７６】
また、パラレル信号をシリアル信号に変換して伝送するアクティブケーブルとして構成されたコネクタ付きケーブル（１ａ，１ｂ）において、一方のコネクタ側に供給される外部電源電圧を他方のコネクタ側に供給する電源線（ＳＬ）の第１のコネクタ（１１ａ，１１ｂ）側の第１の電圧（Ｖ１ａ，Ｖ１ｂ）と、第２のコネクタ（１２ａ，１２ｂ）側の第２の電圧（Ｖ２ａ，Ｖ２ｂ）とを測定することによって、第１の電圧と第２の電圧との電圧差ΔＶに基づいて逆接続状態を検出することができる。
【００７７】
また、アクティブケーブルとして構成されたコネクタ付きケーブルは、カメラリンク規格の映像信号をシリアル信号に変換して伝送するカメラリンクケーブルとして構成することができる。
【００７８】
また、シリアライザおよびデシリアライザや、ＰＬＬ以外に、クロック信号の入力の有無に応じて消費電流が変化する回路を備えたコネクタ付きケーブルにおいても同様に、第１の電圧と第２の電圧との電圧差ΔＶに基づいて逆接続状態を検出することができる。
【００７９】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００８０】
１ａ、１ｃ、２ａ、３ａ、５ａ  Ｂａｓｅケーブル
１ｂ、１ｄ、２ｂ、３ｂ、５ｂ  Ｆｕｌｌケーブル
７ａ        Ｂａｓｅインタフェース（カメラ）
７ｂ        Ｆｕｌｌインタフェース（カメラ）
９ａ        Ｂａｓｅインタフェース（処理装置）
９ｂ        Ｆｕｌｌインタフェース（処理装置）
１０ａ〜１０ｄ  伝送ケーブル
１１ａ〜１１ｄ  カメラ側コネクタ
１２ａ〜１２ｄ  装置側コネクタ
２０ａ、２０ｂ、３０ａ、３０ｂ、５０ａ、５０ｂ  伝送ケーブル
２１ａ、２１ｂ、３１ａ、３１ｂ、５１ａ、５１ｂ  カメラ側コネクタ
２２ａ、２２ｂ、３２ａ、３２ｂ、５２ａ、５２ｂ  装置側コネクタ
１０１ａ〜１０８ａ、１０１ｃ〜１０８ｃ  差動線
１０１ｂ〜１０４ｂ、１０１ｄ〜１０４ｄ  差動線
１１０ａ〜１１０ｄ  カメラ側接続回路
１１１ａ〜１１１ｄ  ＤＣ−ＤＣコンバータ
１１２ａ〜１１２ｄ  ＭＣＵ（マイクロコントローラ）
１１３ａ〜１１３ｄ、１１４ｂ、１１４ｄ  シリアライザ
１１５ａ〜１１５ｄ  電圧センサ
１２０ａ〜１２０ｄ  装置側接続回路
１２１ａ〜１２１ｄ  ＤＣ−ＤＣコンバータ
１２２ａ〜１２２ｄ  ＭＣＵ（マイクロコントローラ）
１２３ａ〜１２３ｄ、１２４ｂ、１２４ｄ  デシリアライザ
１２５ａ〜１２５ｄ  電圧センサ
２０１ａ〜２０８ａ、３０２ａ〜３０８ａ  差動線
２０１ｂ〜２０４ｂ、３０２ｂ、３０４ｂ  差動線
３０１ａ、３０１ｂ、３０３ｂ  光ファイバ
２１０ａ、２１０ｂ、３１０ａ、３１０ｂ  カメラ側接続回路
２１１ａ、２１１ｂ、３１１ａ、３１１ｂ  ＤＣ−ＤＣコンバータ
２１２ａ、２１２ｂ、３１２ａ、３１２ｂ  ＭＣＵ（マイクロコントローラ）
２１３ａ、２１３ｂ、２１５ｂ、３１３ａ、３１３ｂ、３１５ｂ  シリアライザ
３１４ａ、３１４ｂ、３１６ｂ  電気／光変換回路
２２０ａ、２２０ｂ、３２０ａ、３２０ｂ  装置側接続回路
２２１ａ、２２１ｂ、３２１ａ、３２１ｂ  ＤＣ−ＤＣコンバータ
２２２ａ、２２２ｂ、３２２ａ、３２２ｂ  ＭＣＵ（マイクロコントローラ）
２２３ａ、２２３ｂ、２２５ｂ、３２３ａ、３２３ｂ、３２５ｂ  デシリアライザ
３２４ａ、３２４ｂ、３２６ｂ  光／電気変換回路
ＳＬ        シールド線
ＤＬ        差動線
Ｒ１、Ｒ２、Ｒ１１、Ｒ１２、Ｒ２１、Ｒ２２  抵抗
【図１】
2014082634.tif 000003
【図２】
2014082634.tif 000004
【図３】
2014082634.tif 000005
【図４】
2014082634.tif 000006
【図５】
2014082634.tif 000007
【図６】
2014082634.tif 000008
【図７】
2014082634.tif 000009
【図８】
2014082634.tif 000010
【図９】
2014082634.tif 000011
【図１０】
2014082634.tif 000012
【図１１】
2014082634.tif 000013
【図１２】
2014082634.tif 000014
【図１３】
2014082634.tif 000015
【図１４】
2014082634.tif 000016
【図１５】
2014082634.tif 000017
【図１６】
2014082634.tif 000018
【図１７】
2014082634.tif 000019
【図１８】
2014082634.tif 000020
【図１９】
2014082634.tif 000021
【図２０】
2014082634.tif 000022
【図２１】
2014082634.tif 000023
【図２２】
2014082634.tif 000024
【図２３】
2014082634.tif 000025
【図２４】
2014082634.tif 000026
【図２５】
2014082634.tif 000027